(57)【特許請求の範囲】
【請求項１】
水分計（２０）内部を、仕切板（３７）により左右に区分し、一方には、はすば歯車（４２）を備えた駆動軸（４１）をこの仕切板（３７）に貫通して水平に支持されるモータ（３８）、このモータ（３８）の下方空間において制御基板を底板（３６）に平行とした制御回路部（３９）を配置し、他方側には、穀粒送り螺旋（３３）の回転軸心を前記駆動軸（４１）に対して直交すべく駆動軸（４１）のはすば歯車（４２）に該穀粒送り螺旋（３３）の回転軸（５２）に設けるはすば歯車（５３）を噛合させかつ該駆動軸（４１）よりも上位に配置すると共にこの穀粒送り螺旋（３３）と平行に穀粒送り板（５８）を軸支した穀粒繰出機構、回転軸心が前記駆動軸（４１）に対して平行に設けられ穀粒を圧砕しながら電気信号を出力する一対の電極ロール（４６ａ），（４６ｂ）を備える検出機構部（４０ｂ）、これら電極ロール（４６ａ），（４６ｂ）を連動する連動歯車群であって検出機構部（４０ｂ）とは左右に並列状態の伝動機構部（４０ａ）からなる機構部（４０）を配置し、機構部（４０）を配置すべき空間に中間仕切（４８）と電極ロール取付板（４９）を設け、前記仕切板（３７）と中間仕切（４８）との間に連動歯車群（４２），（４３），（４４）等の伝動機構部（４０ａ）を前記駆動軸（４１）のはすば歯車（４２）が前記駆動軸（４１）よりも下位側のはすば歯車（４３），（４４）に同軸心状で順に噛み合うよう配設し、中間仕切（４８）と電極ロール取付板（４９）との間には上記下位側はすば歯車（４３），（４４）の各軸（４５），（４７）に夫々固定される一対の電極ロール（４６ａ），（４６ｂ）からなる前記検出機構部（４０ｂ）を配設し、電極ロール（４６ａ），（４６ｂ）の上記軸（４５），（４７）を仕切板（３７）と電極ロール取付板（４９）とで上下・前後にずらせて支持してなる水分測定装置。
【請求項２】
電極ロール（４６ａ），（４６ｂ）の下方に沿って水分計（２０）のフレーム（３４）側に固定して排出案内部（６５）を設け、圧砕済穀粒を穀粒存在側に還元すべく構成してなる請求項１記載の水分測定装置。
【発明の詳細な説明】
【０００１】
【産業上の利用分野】
この発明は、穀粒乾燥機等に利用する水分測定装置に関する。
【０００２】
【従来の技術及び発明が解決しようとする課題】
従来穀粒乾燥機等の昇降機に装着して揚穀穀粒の一部を取り込む形態の水分計がある（例えば特開昭６１−２９２０３６号公報）。ところで、上記公報に記載される形態では、一粒繰り出し機構や一対の電極ロール，駆動モータを有する機構部の側方に起立姿勢に制御基板を配設し、かつ機構部のベースフレーム側には伝動機構部を設けるものであるから、容量を大ならしめて昇降機からの突出量も大きく嵩張るものであった。
【０００３】
【課題を解決するための手段】
この発明は、水分測定装置におけるモータや制御回路部等の配置構成を合理化して装置のコンパクト化をはかるものである。このため、請求項１の発明は、水分計（２０）内部を、仕切板（３７）により左右に区分し、一方には、はすば歯車（４２）を備えた駆動軸（４１）をこの仕切板（３７）に貫通して水平に支持されるモータ（３８）、このモータ（３８）の下方空間において制御基板を底板（３６）に平行とした制御回路部（３９）を配置し、他方側には、穀粒送り螺旋（３３）の回転軸心を前記駆動軸（４１）に対して直交すべく駆動軸（４１）のはすば歯車（４２）に該穀粒送り螺旋（３３）の回転軸（５２）に設けるはすば歯車（５３）を噛合させかつ該駆動軸（４１）よりも上位に配置すると共にこの穀粒送り螺旋（３３）と平行に穀粒送り板（５８）を軸支した穀粒繰出機構、回転軸心が前記駆動軸（４１）に対して平行に設けられ穀粒を圧砕しながら電気信号を出力する一対の電極ロール（４６ａ），（４６ｂ）を備える検出機構部（４０ｂ）、これら電極ロール（４６ａ），（４６ｂ）を連動する連動歯車群であって検出機構部（４０ｂ）とは左右に並列状態の伝動機構部（４０ａ）からなる機構部（４０）を配置し、機構部（４０）を配置すべき空間に中間仕切（４８）と電極ロール取付板（４９）を設け、前記仕切板（３７）と中間仕切（４８）との間に連動歯車群（４２），（４３），（４４）等の伝動機構部（４０ａ）を前記駆動軸（４１）のはすば歯車（４２）が前記駆動軸（４１）よりも下位側のはすば歯車（４３），（４４）に同軸心状で順に噛み合うよう配設し、中間仕切（４８）と電極ロール取付板（４９）との間には上記下位側はすば歯車（４３），（４４）の各軸（４５），（４７）に夫々固定される一対の電極ロール（４６ａ），（４６ｂ）からなる前記検出機構部（４０ｂ）を配設し、電極ロール（４６ａ），（４６ｂ）の上記軸（４５），（４７）を仕切板（３７）と電極ロール取付板（４９）とで上下・前後にずらせて支持してなる水分測定装置の構成とする。
【０００４】
また、請求項２は、電極ロール（４６ａ），（４６ｂ）の下方に沿って水分計（２０）のフレーム（３４）側に固定して排出案内部（６５）を設け、圧砕済穀粒を穀粒存在側に還元すべく構成してなる請求項１記載の水分測定装置の構成とするものである。
【０００５】
【０００６】
【発明の作用効果】
請求項１に記載の発明によると、水分計（２０）内部を、仕切板（３７）により左右に区分し、一方には、モータ（３８），制御回路部（３９）を配置し、他方側には、穀粒送り螺旋（３３）などの穀粒繰出機構，穀粒を圧砕してその電気信号を出力すべき一対の電極ロール（４６ａ），（４６ｂ）を備える機構部（４０）を配置するが、一方側のモータ（３８）は駆動軸（４１）をこの仕切板（３７）に貫通して水平に支持されるため、該駆動軸（４１）を機構部（４０）に向け横置きでき、その下方空間に制御回路部（３９）の特に制御基板を水分計（２０）の底板に平行して設置することができるため突出量を少なくできる。また他方側では、仕切板（３７）と中間仕切（４８）との間において、駆動軸（４１）のはすば歯車（４２）上位側に、該はすば歯車（４２）と回転軸（５２）のはすば歯車（５３）との噛み合いによって、穀粒送り螺旋（３３）の回転軸心を前記駆動軸（４１）に対して直交させた穀粒繰出機構としてその始端側を穀粒取り込み部に位置させ、上記駆動軸（４１）のはすば歯車（４２）下位側に、上記はすば歯車（４２）が前記駆動軸（４１）よりも下位側のはすば歯車（４３），（４４）に同軸心状で順に噛み合い、中間仕切（４８）と電極ロール取付板（４９）との間で下位側はすば歯車（４３），（４４）の各軸（４５），（４７）に夫々固定するものであるから、伝動機構部（４０ａ）と検出機構部（４０ｂ）とは左右に並列状態となりかつ検出機構部（４０ｂ）は軸心が上下前後にずらせた状態であるため、この側においても突出量を少なくでき、水分計（２０）自体のコンパクト化がはかれる。
【０００７】
また、機構部（４０）を配置すべき空間に中間仕切（４８）と電極ロール取付板（４９）を設け、仕切板（３７）と中間仕切（４８）との間に伝動歯車群（４２），（４３），（４４）等の伝動機構部（４０ａ）を配設し、中間仕切（４８）と電極ロール取付板（４９）との間には一対の電極ロール（４６ａ），（４６ｂ）からなる検出機構部（４０ｂ）を配設し、電極ロール（４６ａ），（４６ｂ）の軸（４５），（４７）を仕切板（３７）と電極ロール取付板（４９）とで支持するために、圧砕済穀粒の伝動機構部（４０ａ）側への移行を阻止できる。
請求項２に記載の発明によると、電極ロール（４６ａ），（４６ｂ）の下方に沿って水分計（２０）のフレーム（３４）側に固定して排出案内部（６５）を設ける場合には、電極ロール部を離隔できて一層上記移行を阻止できて有利である。この場合には、表面を覆うべきカバーの内面に圧砕済穀粒の排出案内壁を形成する必要もなくなり、このためカバー形状を複雑に成形する必要がなく当該成形が容易となる。
【０００８】
【実施例】
この発明の一実施例を図面に基づき説明する。１は穀物乾燥装置の機枠で、内部には貯留室２、乾燥室３、集穀室４の順に積み重ねられ、外部に設ける昇降機５の駆動によって穀物を循環させながら、乾燥室３部でバーナ６燃焼と吸引ファン７とにより発生する熱風を浴びせて乾燥する公知の形態である。
【０００９】
８は繰り出しドラムで正逆に回転しながら所定量の穀物を流下させる。９は上記昇降機５に通じる下部移送装置、１０は昇降機５上部側に接続する上部移送装置で、貯留室２上部の拡散盤１１に穀物供給できる。バーナ６や穀物循環機構等は、乾燥制御に必要な制御プログラムや各種データ等を記憶するメモリを備えるコンピュータによって行なわれる。即ち、操作盤１２には液晶形態の表示部１３を設け、該表示部１３の下縁に沿って４個の押しボタン形態のスイッチ１４〜１７、及びやや離れて非常停止スイッチ１８を配設している。該スイッチ１４〜１７はその機能が表示部１３に表示されるもので、図例では、順に張込・乾燥・排出・通風の各運転用スイッチに構成されるが、表示部１３の画面変更に従って異なる機能を具備せしめ得る構成である。
【００１０】
内蔵の制御部は操作盤１２面のスイッチ情報や乾燥機機枠１各部に配設したセンサ類からの検出情報等を受けて必要な比較演算のもと、バーナ燃焼量の制御，穀物循環系の起動・停止制御，表示部１３の表示内容制御等を行う。上記操作盤１２のスイッチ類は、張込・乾燥・排出・通風の各設定のほか、穀物種類、設定水分（仕上げ水分）、張込量、タイマ増・減等を設定できる。
【００１１】
図５は制御ブロック図を示し、上記操作盤１２を有するコントロールボックスに内蔵するコンピュータの演算制御部１９には上記スイッチ類からの設定情報のほか、水分計２０検出情報、昇降機５の投げ出し部に設ける穀物流れ検出器２１の穀物検出情報、熱風温度検出情報等が入力される。一方出力情報としては、バーナ６の燃焼系信号、例えば燃料供給信号，その流量制御信号、あるいは上下移送螺旋，昇降機５，繰出バルブ８等の穀物循環系モータ制御信号、吸引ファン７モータ制御信号，各表示部への表示出力等がある。
【００１２】
昇降機５はバケット式で、無端ベルト３０に多数のバケット３１，３１…を取り付け、外周を側壁５ａにより覆った構造で、バケット３１により集穀室４より出る穀粒を掬い上げて上昇し貯留室２へと運ぶ。昇降機５の側壁５ａの正面内側に、一粒式水分計２０の穀粒取り込み部３２の前縁をバケット用無端ベルト３０のバケット３１の近くまで差し込んで設置し、側壁５ａの内側で、穀粒取り込み部３２の底部排出口下方に、穀粒送り螺旋３３の始端部をのぞませる。
【００１３】
この穀粒取り込み部３２の前縁と穀粒送り螺旋３３の始端部は、バケット用無端ベルト３０の上昇側と下降側のベルト内側に位置するので、ベルト３０やバケット３１の移動に支障はない。一粒水分計の筐体は、フレーム３４と、そのフレーム３４を覆うカバー３５とからなる。このうち、フレーム３４は、昇降機５の側面に沿い、昇降機５との間を仕切る底板３６と、底板３６上に一体的に起立させた仕切板３７とからなり、フレーム３４に組付けたモータ３８，制御回路部３９と機構部４０とを当該仕切板３７により仕切る。
【００１４】
仕切板３７にモータ３８の駆動軸４１を貫通して水平に固定し、この駆動軸４１の先端に、はすば歯車４２を固定する。上記はすば歯車４２とは回転軸心を一致させて順次下位に第２はすば歯車４３，第３はすば歯車４４を噛合させるものである。そして、第２はすば歯車４３の軸４５には第１電極ロール４６ａを、第３はすば歯車４４の軸４７には第２電極ロール４６ｂを夫々固定するものである。
【００１５】
上記仕切板３７と平行に、いずれも透明の樹脂材からなる中間仕切４８と電極ロール取付板４９とを、仕切板３７から突出すべく一体に成形する取付脚部５０，５０…に着脱自在にボルト（図示せず）止めにより共締めしている。なお、仕切板３７と中間仕切４８との間隔は上記取付脚部５０の存在によって確保し、中間仕切４８と電極ロール取付板４９との間隔はこの取付板４９と一体成形する幅狭の起立部５１によって確保する。従って、前記軸４５及び軸４７は一端を仕切板３７に軸受し、他端を電極ロール取付板４９に軸受支持させる構成である。
【００１６】
さらに、底板３６の所定位置に、穀粒送り螺旋３３の回転軸５２を挿通し、この回転軸５２にはすば歯車５３を固定し、駆動軸４１のはすば歯車４２と直角に噛合する。図８は一粒式水分計を昇降機５内側から見た背面図で、穀粒取り込み部３２は、底板３６より昇降機５内部に突出し、その上部開口５５の開口縁を斜め下方に傾斜させ、開口面積を大きく形成すると共に、この開口５５に複数の弾線を並べてその根元を固定することにより、櫛状の異物除去体５６を形成している。
【００１７】
穀粒取り込み部３２の下部は、断面Ｖ字状に間隔を狭め、その一側を穀粒送り螺旋３３の真上まで延伸し、他側の下端に底部排出口５７を形成し、これに穀粒送り螺旋３３の先端部を接続する。そして穀粒送り螺旋３３と平行で上縁を穀粒取り込み部３２の外側に回転自在に軸支した穀粒送り板５８を垂設し、バネ５９により穀粒送り螺旋３３の外周に接するように付勢する。
【００１８】
前記穀粒送り螺旋３３の終端部の下方に穀粒落下路６０を設ける。この穀粒落下路６０の上部入口と穀粒送り板５８との間に形成される間隙に穀粒飛込防止板（図示せず）を設置してこの間隙を閉鎖している。穀粒落下路６０は、第１，第２電極ロール４６ａ，４６ｂが斜めに位置してこれらの接近する部分に向けて誘導壁を形成し、穀粒を電極ロール４６ａ，４６ｂの間隙に誘導する。なお穀粒落下路６０は、電極ロール４６ａ，４６ｂの左右に接近する中間仕切４８と電極ロール取付板４９とによって形成されるものであるが、その間隔は、両電極ロール４６ａ，４６ｂによる圧砕部付近では圧砕穀粒の侵入を防止しうるよう狭く形成している。すなわち、当該圧砕部付近の間隔が狭くなるよう中間仕切４８と電極ロール取付板４９の内壁面をやや膨出状に形成するものである。
【００１９】
なお、穀粒送り螺旋３３は、円柱体の外周に２本の線状突起６２の間に穀粒の１粒に見合う浅い凹部６３を形成し、穀粒送り螺旋３３の先端の一定範囲を除き、上記２本の線状突起５３の外側を断面台形に切削して螺旋状の深い溝６４を形成する。６５は、傾斜状に配設する電極ロール４６ａ，４６ｂの下方に沿って設ける圧砕済穀粒の排出案内部で、この圧砕済穀粒を昇降機内空間へ還元案内する構成である。この排出案内部６５は、前記電極ロール取付板４８と一体成形される起立部５１と同様に成形される構成である。
【００２０】
前記制御回路部３９には、回路基板６６上に各種制御回路を構成するものであるが、この基板６６には数ボルトまでの弱電回路を一まとめにして構成する。一方、モータトランス６７に代表される強電部はこの基板６６から離れた位置に、例えばモータ３８と制御回路部３９との間の底板３６に支持させる構成としている。
【００２１】
６８は、前記操作盤１２を備えるコントローラと水分計の制御回路３９やモータトランス６７を接続するためのハーネスであって、底板３６に開口６９を形成すると共に、昇降機５にはこの開口６９に一致して断面矩形のトンネル状貫通筒７０を当該昇降機５の前後に亘って設けてある。前記カバー３５は、逆皿型の形状となし、前記仕切板３７，中間仕切４８，電極ロール取付板４９の上端面に接するように取付られるもので、このカバー３５の取付状態で、左右に、モータ３８，制御基板６６及びモータトランス６７を配置する制御回路部３９、歯車を上下に配置する伝動機構部４０ａ、並びに一対の電極ロール４６ａ，４６ｂを備える検出機構部４０ｂに区分けされる。
【００２２】
上例の作用について説明する。基本画面を呼び出しスイッチ１４をＯＮすると、ホッパに投入された乾燥すべき穀物は昇降機５を経て貯留部２に張り込まれる。張込完了すると、停止スイッチ１６をＯＮして各部を一旦停止する。次には乾燥作業に移行するためスイッチ１５をＯＮし、画面を穀物種類・乾燥モード設定画面に切り替え、前段で穀物種類設定スイッチ１４を押して当該張込穀物の種類を設定し、かつ乾燥モードを選択設定する。尚別途に設ける設定画面により同じ要領で水分設定機能スイッチをもって希望の乾燥仕上げ水分値を設定する。
【００２３】
こうすることにより、昇降機５上下移送螺旋、繰出バルブ等は運転を開始し、かつバーナ６も駆動状態におかれて熱風乾燥を開始するものである。ここで、熱風温度は選択された穀物種類毎に予め乾燥速度が決められており、当該乾燥速度にそって熱風温度が決定されることとなり、乾燥室３の穀物流路を流下するうち熱風が作用して乾燥し、集穀室４から昇降機５を経て貯留室２に戻され調質作用を受ける。このような循環を所定水分に達するまで繰返し行う。
【００２４】
上記の乾燥運転中、所定時間間隔で水分測定が行われる。即ち所定時間間隔で一粒水分計のモータ３８に駆動指令信号が出力される。昇降機５内バケット３１で掻き上げられる穀粒の一部は溢出流下し、その一部が穀粒取り込み部３２を経て穀粒送り螺旋３３と穀粒送り板５８との間で受けられ、一粒毎に穀粒送り螺旋３３終端側、つまり水分計本体内へ導入される。この穀粒送り螺旋３の終端部から穀粒落下路６０を流下しながら通過して電極ロール４６ａ，４６ｂの間に案内される。電極ロール４６ａ，４６ｂは互いに逆回転していて、穀粒を取り込みつつ圧砕しながらその抵抗値が検出されるものとなる。制御回路部３９では、所定粒数、例えば２００粒の抵抗値が検出されるとこのデータをコントローラの演算制御部１９に出力する。この制御部１９では平均値を算出して平均水分値とし表示部１３画面に表示出力すると共に、同時に水分ばらつき（例えば標準偏差）を求める。またこの所定粒数の抵抗値検出に伴い水分計モータ３８に停止指令信号を出力する。
【００２５】
上記の働きをする水分計２０は、穀粒送り螺旋３３の先端部や電極ロールの一方が昇降機５内に進入して水分計２０の外向き突出量を低く抑えることとなる。又、モータ３８を横置きにして構成し、モータ軸５２端部のはすば歯車５３に対して、穀粒送り機構の回転及び電極ロールの回転を軸を平行方向でも直交方向でも自在に連動連結できる形態としてあるから、機構部４０の歯車数を最小に抑え得て、電極ロールとの連動構成も同軸に配設できて簡単となっている。これらのことから、水分計２０をコンパクトに構成できるものなって、昇降機５への装着状態も嵩張らないため、乾燥機正面での作業の邪魔とならない。
【００２６】
なお、ハーネス６８は昇降機５を貫通してこの昇降機の背面に延出する。従って、正面側からはハーネス６８処理を必要とせず、他物との干渉等による損傷などの恐れがなく、かつ見栄えを損なわない。
【図面の簡単な説明】
【図１】水分計の分解斜視図である。
【図２】穀物乾燥機の正面図である。
【図３】穀物乾燥機の正断面図である。
【図４】コントロールボックスの制御盤正面図である。
【図５】制御ブロック図である。
【図６】水分計の正断面図である。
【図７】同上の側断面図である。
【図８】同上の背面図である。
【符号の説明】
１…乾燥機枠，２…貯留室，３…乾燥室，４…集穀室，５…昇降機，６…バーナ，７…吸引ファン，８…繰出バルブ，９…下部移送装置，１０…上部移送装置，１１…拡散盤，１２…操作盤，１３…表示部，１４〜１７…スイッチ，１８…非常停止スイッチ，１９…演算制御部，２０…水分計，３０…無端ベルト，３１…バケット，３２…穀粒取り込み部，３３…穀粒送り螺旋，３４…フレーム，３５…カバー，３６…底板，３７…仕切板，３８…モータ，３９…制御回路部，４０…機構部，４１…駆動軸，４２…はすば歯車，４３…はすば歯車，４４…はすば歯車，４５…軸，４６ａ…第１電極ロール，４６ｂ…第２電極ロール，４７…軸，４８…中間仕切，４９…電極ロール取付板，５０…取付脚部，５１…起立部，５２…回転軸，５３…はすば歯車，５５…開口，５６…異物除去体，５７…底部排出口，５８…穀粒送り板，５９…バネ，６０…穀粒落下路，６１…穀粒飛込防止板，６２…線状突起，６３…凹部，６４…深い溝，６５…排出案内部，６６…回路基板，６７…モータトランス，６８…ハーネス，６９…開口，７０…トンネル状貫通筒
【図１】
0003622434.tif 000002
【図２】
0003622434.tif 000003
【図３】
0003622434.tif 000004
【図４】
0003622434.tif 000005
【図５】
0003622434.tif 000006
【図６】
0003622434.tif 000007
【図７】
0003622434.tif 000008
【図８】
0003622434.tif 000009